(57)【要約】      （修正有）【課題】マウス等入力装置の内部に塵埃が進入することを防止できるホールレス光学レンズ構造を提供する。【解決手段】ホールレス光学レンズは、透光底台と、光学レンズユニットと、を含む。該透光底台１２は、該入力装置の外殻底台２２上に設ける対応窓上に密閉して設けられ、光線入出部とし、且つ該透光底台の外底面２２２は、該外殻底台の外底面と平らになり、該光学レンズユニットは、該透光底台の内面上に組み付けられ、定位される。この構造により、該入力装置２内部の光トランシーバモジュール２４が発射する光線は該光学レンズユニット１１を経由して、該透光底台１２を透過させて、ポインタ位置を制御する。【選択図】図４
0003177415.tif 000002
【実用新案登録請求の範囲】
【請求項１】
入力装置のホールレス光学レンズ構造であって、該入力装置は、外殻底台を有し、且つその内部に少なくとも１つの光トランシーバモジュールを設け、該防塵光学レンズ構造は、透光底台と光学レンズユニットを含み、そのうち、
該透光底台は、該入力装置の外殻底台上に設ける対応窓上に密閉して設けられ、該透光底台の外底面及び該外殻底台の外底面に平坦状態を形成させ、
該光学レンズユニットは、その底部に少なくとも１つの外向きに凸出するプリズム式凸体を設け、それが該透光底台の内面上に組み付けられ、定位され、該入力装置内部の光トランシーバモジュールが発射する光線を該光学レンズユニットの伝達を経て該透光底台の中央部位付近を透過可能にする入力装置のホールレス光学レンズ構造。
【請求項２】
前記透光底台は、該入力装置の外殻底台上に設ける該対応窓上に嵌合設置され、該透光底台の周縁及び該窓の周縁に密閉状態を形成させる請求項１に記載のホールレス光学レンズ構造。
【請求項３】
前記透光底台は、該入力装置の外殻底台上に設ける窓上に一体に成型して設けられ、該透光底台の周縁及び該窓の周縁に密閉状態を形成させる請求項１に記載のホールレス光学レンズ構造。
【請求項４】
前記透光底台は、完全透明材料で形成される請求項１に記載のホールレス光学レンズ構造。
【請求項５】
前記透光底台は、フィルタリング材料で形成される請求項１に記載のホールレス光学レンズ構造。
【請求項６】
前記透光底台の内面は、更に、凹陥空間を設け、該光学レンズユニットが有する底台を該凹陥空間中に嵌合設置し、定位させる請求項１に記載のホールレス光学レンズ構造。
【請求項７】
前記透光底台の内面は、更に、収容溝を有し、該光学レンズユニットの底部に設ける少なくとも１つの外向きに凸出するプリズム式凸体を対応して収納することに用いる請求項１に記載のホールレス光学レンズ構造。
【考案の詳細な説明】
【技術分野】
【０００１】
本考案は、入力装置の光学レンズ構造に関し、特に、灰塵異物が入力装置の外殻底台上に堆積するか、その内部に進入することを効率的に防止するホールレス光学レンズ構造に関する。
【背景技術】
【０００２】
従来の光学マウスは、不可欠なパソコンの入力装置であり、その光学構造は、一般にその外殻内部に光トランシーバモジュール及び光学レンズユニットを設け、該光トランシーバモジュールは、それが設ける少なくとも１つの光源、例えば、ＬＥＤ光源又は赤外線光源を利用し、光線を発射し、該光線は、該光学レンズユニットの伝達を経て、該光学レンズユニットは、一般に複数のミラーを有し、多種角度の反射を行い、光線に光学マウスの外殻底台に設ける光線入出孔を通過させ、表面上、例えば、卓面、マウスパッド等に射出し、該表面上により反射された光線が該光線を更に入出孔に通過させ、外殻内部に進入し（一般に該光学レンズユニットも経過する）、該光トランシーバモジュールによりそれが設ける電子感光部材を利用し、感応し、信号の判読及び出力を行い、ポインタ位置を制御する作用効果を達成する。
【０００３】
しかしながら、上記の光線入出孔は、光学マウスの外殻底台上に設けられ、貫通孔を形成し、光学マウスが表面上、例えば、卓面、マウスパッド等に接触し、一定時間使用された後、灰塵異物等が該光線入出孔周縁箇所に堆積する状況を生じ易く、更には、光学マウスの内部に進入し、このように、光線入出孔に進入する光線に対し、干渉を起こすだけでなく、更に、光学マウスの光学精度及び使用寿命に影響を及ぼす。
【０００４】
従来の光学マウスの上記欠陥に対し、マウス業者が提出しているソリューションは、台湾実用新案第Ｍ４２２６７７号、実用新案第Ｍ４２２７０１号及び実用新案第Ｍ４２２７０２号の三件の台湾実用新案があり、それぞれ以下に説明する：
実用新案第Ｍ４２２６７７号の技術手段は、光学保護マスクが底台及び光学レンズユニットの間に設けられ、且つ該光学保護マスクが該光線入出孔に対応し、且つ可透光な頭部を有し、該頭部を該光線入出孔に密合させ、即ち、別途増設する光学保護マスク上に設ける透光頭部を利用し、該光線入出孔を対応して塞ぎ、防塵効果を達成するというものである。
【０００５】
実用新案第Ｍ４２２７０１号の技術手段は、該光学レンズユニットに一体に円錐形レンズを成型し、該光学レンズユニットが該光学マウスの外殻底台上に組み合わさると同時に、該円錐形レンズが外殻底台の光線入出孔上に密合して組み合わさり（例えば、接着接合）、即ち、光学レンズユニット上に別途円錐形レンズを造成津市、該光線入出孔を対応して塞ぎ、防塵効果を達成することである。
【０００６】
実用新案第Ｍ４２２７０２号の技術手段は、遮蔽部材を該底台底部に設け、該遮蔽部材が該光線入出孔の位置に対応する光線透過領域を設け、即ち、別途増設した遮蔽部材、例えば、透光シール又は蓋板を利用し、接着接合方式又は螺合方式で該底台底部に設ける光線入出孔の外面に対応して設け、光線に該光線入出孔及び該遮蔽部材の光線透過領域を透過させ、防塵効果を達成する。
【０００７】
しかしながら、上記の台湾実用新案第Ｍ４２２６７７号、Ｍ４２２７０１号、Ｍ４２２７０２号を含む従来技術は、以下の欠点を有する：
光学マウスの底台上に何れも依然として貫通孔型式の光線入出孔を設け、更に別途増設部材を利用し、例えば、第Ｍ４２２６７７号の光学保護マスク又はＭ４２２７０１号の円錐形レンズ又は該Ｍ４２２７０２号の遮蔽部材により、該光線入出孔を塞ぐか、遮蔽しているので、防塵構造を複雑化させ、製造及び組み立てコストを相対して増加させ、該入力装置（光学マウス）の市場競争力に不利である。
【０００８】
更に、光学保護マスク（例えば、第Ｍ４２２６７７号）又は円錐形レンズ（例えば、第Ｍ４２２７０１号）を利用し、該貫通する該光線入出孔を密合して塞ぐ時、該光学レンズユニットの全体又はレンズの形状及び設置位置が相対して制限を受け、該光学レンズユニットの設計及び製造に不利であり、該光学マウスの外形及び内部構造の設計及びレイアウト（layout）にも相対して影響を及ぼす。また、射出成型（injection molding）技術に基づき、該光学保護マスク又は円錐形レンズ及び該光線入出孔の間には、依然として公差が存在し、組み合わせ後の該光線入出孔が完全に密合できることを保証できず、即ち、該光線入出孔の貫通孔辺縁は、依然として隙間が存在し、防塵効果の成功率に影響を及ぼす。
【０００９】
また、該光線入出孔を塞ぐか遮蔽することに用いる光学保護マスク（例えば、第Ｍ４２２６７７号）又は円錐形レンズ（例えば、第Ｍ４２２７０１号）又は遮蔽部材（例えば、第Ｍ４２２７０２号）は、接着接合方式又は螺合方式でその組み合わせ（組み立て）作業を達成し、組み合わせ（組み立て）作業において、相対して、接着剤の塗布工程を増加し、且つ更に、用いる接着剤が塗布及び組み合わせ後に溢れないよう保証する必要があり、更には、該光線入出孔の透過性に影響を及ぼし、光学マウスの組み立て作業に相対的に不利である。
【先行技術文献】
【特許文献】
【００１０】
【特許文献１】特開２００８−２７１２０号公報
【考案の概要】
【考案が解決しようとする課題】
【００１１】
本考案の主要な目的は、例えば、光学マウスのようなパソコン入力装置上に適用し、透光底台と、光学レンズユニットと、を含み、該透光底台は、該入力装置の外殻底台上の対応する窓上に密閉して設けられ、光線を入出させ、且つ該透光底台の外底面は、該外殻底台の外底面と平らになり、該光学レンズユニットは、該透光底台の内面上に組み付けられ、定位され、該入力装置内部の光トランシーバモジュールが発射する光線に該光学レンズユニットの伝達を経由させることができ、該透光底台を透過させ、従来の光学マウスがその外殻底台上に光線入出孔を設置しなければならず、灰塵異物を堆積させ易い欠陥を回避し、構造の簡易化を達成し、防塵の使用効果を効率化することができる入力装置のホールレス光学レンズ構造を提供することにある。
【課題を解決するための手段】
【００１２】
上記の目的を達成する為、本考案の好適実施例は、透光底台と光学レンズユニットを含み、そのうち、該透光底台は、該入力装置の外殻底台上の対応する窓上に密閉して設置され、且つ該底台の外底面は、該外殻底台の外底面と平らになり、中央部位付近を光線入出箇所とし、そのうち、該光学レンズユニットは、該透光底台の内面上に組み付けられ、定位され、該入力装置内部の光トランシーバモジュールが発射する光線を該光学レンズユニットの伝達を経て該透光底台の中央部位付近を透過でき、構造簡易化を達成性、防塵の使用効果を効率化する。
【００１３】
本考案は、該透光底台を該入力装置の外殻底台上に設ける該対応窓上組み合わせ嵌合設置し、該透光底台の周縁に該窓の周縁と密閉状態を形成させる。
【００１４】
本考案は、射出成型（injection molding）技術により、該透光底台を該入力装置の外殻底台上に設ける窓上に一体に成型することもでき、該透光底台及び該入力装置の外殻底台と一体成型体に形成させ、該透光底台の周縁を該窓の周縁と密閉状態を形成させる、
【００１５】
本考案の該透光底台は、完全透明材料、例えば、ガラス又はプラスチックを利用して形成でき、入出する光線を完全に進行させる。
【００１６】
本考案の該透光底台は、光フィルタ材料を利用して形成でき、不要な光線をフィルタリングすることに用い、解析度を増進する。
【００１７】
本考案の該透光底台の内面は、凹陥空間を更に設置でき、該光学レンズユニットが有する底台を該透光底台の凹陥空間中に更に簡便に嵌合設置し、定位させる。
【００１８】
本考案の該透光底台の内面は、更に収容溝を設置でき、該光学レンズユニットの底部に増設する機能性設計を対応して収納することに用い、例えば、少なくとも１つの外向きに突出するプリズム式凸体を増設し、該光学レンズユニットの底部形状にその他の機能性設計を適切に増加させることができるが、該光学レンズユニット及び該透光底台の間の組み合わせに影響を及ぼさない。
【考案の効果】
【００１９】
本考案の入力装置のホールレス光学レンズ構造は、例えば、光学マウスのようなパソコン入力装置上に適用し、透光底台と、光学レンズユニットと、を含み、該透光底台は、該入力装置の外殻底台上に設ける対応窓上に密閉して設けられ、光線入出部とし、且つ該透光底台の外底面は、該外殻底台の外底面と平らになり、該光学レンズユニットは、該透光底台の内面上に組み付けられ、定位され、該入力装置内部の光トランシーバモジュールが発射する光線に該光学レンズユニットの伝達を経由させることができ、該透光底台を透過させ、ポインタ位置を制御する使用効果を達成し、従来の光学マウスが使用中に外殻底台に設ける光入出孔上に灰塵異物を堆積させ易く、マウス内部に進入させる欠陥を回避し、構造の簡易化を達成し、防塵の使用効果を効率化する。
【図面の簡単な説明】
【００２０】
【図１】本考案の入力装置の実施例の外観立体図である。
【図２】図１の実施例の分解立体図である。
【図３】図１の実施例の光学レンズユニットの底面図である。
【図４】図１の実施例の他の分解立体説明図である。
【図５】図１の実施例の断面説明図である。
【考案を実施するための形態】
【００２１】
図１〜図５を参照し、それは、それぞれ本考案の入力装置の実施例（即ち、光学マウス）の外観立体説明図、光学レンズユニット底面図、分解立体説明図、他の分解立体説明図、及び断面説明図である。本考案は、入力装置、例えば、図１〜図５に示すようなローラ式マウスに対し、防塵光学レンズ構造を提供し、従来の光学マウスの外殻底台上に光線入出孔を設置しなければならず、灰塵異物が堆積し易いという欠陥を回避する。
【００２２】
本考案は、以下に開示する実施例は、ローラ式光学マウスを例として説明するが、本考案の入力装置の構造形態を制限することに用いるものではない。また、一般の従来の光学マウスにとって、本考案が開示する防塵光学レンズ構造以外に、更にその他の組み合わせの構造又は装置、例えば、外殻（一般に外殻上蓋及び外殻底台）、光トランシーバモジュール、回路板、接続線又は、左右キー等の基本部材が存在するので、当業者は、理解し、本考案が開示するローラ式光学マウスの構造が以下に開示する実施例に制限するものではなく、多くの変更、修正、更に同等効果の変更を行うことができ、例えば、該光学マウスの外殻は、上蓋及び外殻底台に形成したマウス外形及びその内部構造等は、制限せず、即ち、光学マウスの外形及び内部空間の設計は、図１〜図４に示すローラ式光学マウスに制限せず、或いは、該光学マウスが使用する回路板の形状又は構造設計、有線又は無線伝送方式、又は左右キーの形状又は構造設計等も制限しない。
【００２３】
図１〜図４に示すように、本考案が開示する入力装置のホールレス光学レンズ構造１は、光学マウスのようなパソコン入力装置２上に適用される。該入力装置２は、一般に外殻２０を有し、図１に示すようであり、該外殻２０は、一般に、更に、外殻上蓋２１及び外殻底台２２に分けることができ、該外殻上蓋２１及び外殻底台２２は、外殻２０の内部空間を定義し、該入力装置２、例えば、光学マウスが必要とする全ての電子部材２３を収容することに用いられ、図２に示すようであり、ここでは、ただ電子部材２３中の本考案の防塵光学レンズ構造１と関連する光トランシーバモジュール２４、光学レンズユニット１１、透光底台１２等の図２に示すもののみを例示し、該光トランシーバモジュール２４は、一般に光源２４１及び電子感光部材２４２を含み、そのうち、該光源２４１は、一般に発光ダイオード（ＬＥＤ）又はレーザであるが、これに制限するものではない。
【００２４】
本考案のホールレス光学レンズ構造１は、透光底台１２及び光学レンズユニット１１を含む。使用時、該光トランシーバモジュール２４は、該光源を利用し、光線を発射し、該光線は、光学レンズユニット１１の伝達を経て、そのうち、該光学レンズユニットは、一般に複数のミラーを有し、多種角度の反射を行い、光線に該光学マウス２の外殻底台２２上に密合して設ける透光底台１２を通過させ、外殻２０の内部に進入させ、該光トランシーバモジュール２４によりそれが設ける電子感光部材２４２の感応を利用し、信号の判読及び入出を行い、ポインタ位置の制御する作用効果を達成する。
【００２５】
本考案の主要な特徴は、以下にある：該透光底台１２は、該入力装置２の外殻底台２２上の対応窓２２１上に密閉して設けられ、光線を入出箇所とし、且つ該透光底台１２の外底面１２１は、該外殻底台２２の外底面２２２と平らになり、図４に示すようである。また、そのうち、該光学レンズユニット１１は、該透光底台１２の該外底面に対尾する内面上に組み付けられ、定位され、該入力装置２内部の光トランシーバモジュール２４が発射する光線は、該光学レンズユニット１１の伝達を経ることができ、該透光底台１２の中央部位１２２付近を透過入出し（ここでは、光学作用領域１２２とすることができる）、図２に示すようである。
【００２６】
該透光底台１２を該対応窓２２１上の組み合わせ方式に密閉して設けることがこれに制限せず、工程の要求に応じて嵌合設置方式を採用することができ、図２に示すようであるか、図５に示すように一体に成型方式であることができる。
【００２７】
嵌合設置方式を採用する時、該透光底台１２及び該対応窓２２１の結合接触面１２３，２２３の間に互いに対応するステップ状の凸縁を設置することができ、図２，図４に示すようであり、該透光底台１２の周縁を該窓２２１の周縁に完全密閉状態を形成させる。また、該窓２２１の周縁外側は、複数の嵌合部２２４を設置することができ、図２、図４に示すように、前後２つの嵌合部２２４を設けるが、これに制限するものではなく、該透光底台１２を該対応窓２２１上に嵌合設置した後、該嵌合部２２４により嵌合され、嵌合設置後の安定性を更に増加し、該透光底台１２が使用時に外部要因、例えば、衝突により離脱することを回避することができる。
【００２８】
一体に成型する方式を採用する時、即ち、埋め込み（insert）式射出成型（injection molding）技術を利用し、該透光底台１２を該入力装置２の外殻底台２２上に設ける窓２２１上に一体に成型して設け、図５に示すようであり、該透光底台１２の周縁及び該窓２２１の周縁に完全密閉状態を形成させる。前記の埋め込み式射出成型技術は、そのうち、１つの部材の成型体を先ず、他の部材の成型モジュールのキャビティ中に埋め込み、該他の部材を射出成型し、このように、２つの部材を結合し、単一の一体成型体を形成し（この時、嵌合部２２４の設置を削減できる）、従って、該透光底台１２の周縁及び該窓２２１の周縁の間は、一体に結合し、如何なる隙間も存在しない。
【００２９】
本考案の該透光底台１２は、透明材料を利用して形成でき、入出する光線を完全に進行させることができる。フィルタ材料を利用して形成することでもでき、不要な光線をフィルタリングすることに用い、解析度を増進する。
【００３０】
本考案の該透光底台１２の内面は、凹陥空間１２４を設置することができ、該光学レンズユニット１１が設ける底台１１１に対応して組み合わせることに用い、図２に示すようであり、該光学レンズユニット１１は、該底台１１１により、該凹陥空間１２４中に簡便に嵌合設置でき、該光学レンズユニット１１を該透光底台１２の内面上に嵌合設置させ、定位させる。
【００３１】
本考案の入力装置の解析度を増進する為、更に、該光学レンズユニット１１の底部１１２の適当な位置に機能的設計を増設することができ、図３に示すように、２つの外向きに凸出するプリズム式凸体１１３を設け、該光学レンズユニット１１を該底部１１２の構造形状により入力装置の使用機能を増加することができる。従って、本考案の該透光底台１２の内面は、更に収容溝１２５を設置することができ、該光学レンズユニット１１の底部１１２が設ける少なくとも１つの外向きに凸出するプリズム式凸体１１３を対応して収納することに用い、図４に示すようであり、該光学レンズユニット１１を該透光底台１２の内面上に簡易に嵌合設置し、定位させ、該プリズム式凸体１１３が該光学レンズユニット１１及び該透光底台１２の組み合わせに影響を及ぼさないようにする。
【００３２】
本考案の入力装置が使用する該光学レンズユニット１１の全体形状の機能的設計は、制限せず、即ち、該光学レンズユニット１１は、従来の光学レンズユニットを採用することができ、或いは、特別な設計を経た光学レンズユニットを採用することもでき、図３に示すように、該光学レンズユニット１１の底部１１２は、更に２つの外向きに凸出するプリズム式凸体１１３を設け、本考案のホールレス光学レンズ構造の応用上の広さを増進する。
【００３３】
該透光底台１２を実際に製造する時、光学部材技術分野常用の精密鋳造（precision molding manufacturing）技術を利用して製造することができるが、これに制限するものではない。該透光底台１２の構造中の光学作用のかかる局部領域に対し、例えば、光線を該透光底台１２の中央部位１２２付近（図２参照）に透過入出させることもでき、ここでは、該透光底台１２の主要な光学作用領域とし、精密加工形成のモールド内表面を利用し、該中央部位１２２付近を対応して製造し、その残りの非光学作用の局部領域は、一般の加工成形のモールド内表面を利用して該局部領域を対応して製造し、該透光底台１２の成型鋳型の製造コストを効率的に低減することができる。また、該入力装置２（例えば、光学マウス）を実際に使用する時、該透光底台１２の外底面１２１は、実際に、表面、例えば、卓面、マウスパッド等に直接密合して接触しておらず、光学マウスの外殻底台の底面は、一般に何れも３つ以上（例えば、４つ）の摩擦用パッド脚が底面周縁の四隅位置箇所に設けられ、従って、該透光底台１２は、表面に直接接触せずに、摩損を招かないので、摩損により該透光底台１２（又は該中央部位１２２付近）の解析度に影響を及ぼすことがない。
【００３４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３５】
１  防塵光学レンズ構造
１１  光学レンズユニット
１１１  底台
１１２  底部
１１３  凸体
１２  透光底台
１２１  外底面
１２２  中央部位
１２３  結合接触面
１２４  凹陥空間
１２５  収容溝
２  入力装置
２０  外殻
２１  外殻上蓋
２２  外殻底台
２２２  外底面
２２３  結合接触面
２２４  嵌合部
２２１  窓
２３  電子部材
２４  光トランシーバモジュール
２４１  光源
２４２  電子感光部材
【図１】
0003177415.tif 000003
【図２】
0003177415.tif 000004
【図３】
0003177415.tif 000005
【図４】
0003177415.tif 000006
【図５】
0003177415.tif 000007